(57)【要約】      （修正有）【課題】衛生用紙を取出す際の使い勝手を改良した衛生用紙入りカートンを提供する。【解決手段】衛生用紙の取出し口１が、カートンの上下両面又はいずれか一方の面に形成され、少なくともいずれか一方の取出し口は、上下面のいずれかの中心から長側面または短側面の一方側に片寄った位置に切離し用切込み線により切取可能に形成されている。【選択図】図１
0003116098.tif 000002
【実用新案登録請求の範囲】
【請求項１】
ティシュペーパーやペーパータオルなどの衛生用紙が積層されて収納されている略直方体形状の衛生用紙入りカートンであって、
衛生用紙の取出し口がカートンの上下両面又はいずれか一方の面に形成され、少なくともいずれか一方の取出し口は、上下面のいずれかの中心から長側面の一方側に片寄った位置に、切離し用切込み線により切取可能に形成されていることを特徴とする衛生用紙入りカートン。
【請求項２】
カートン上面に衛生用紙の取出し口が形成され、更にカートンの下面にも、該下面の中心から長側面の一方側に片寄った位置に衛生用紙の取出し口が切離し用切込み線により切取可能に形成されていることを特徴とする請求項１に記載の衛生用紙入りカートン。
【請求項３】
ティシュペーパーやペーパータオルなどの衛生用紙が積層されて収納されている略直方体形状の衛生用紙入りカートンであって、
衛生用紙の取出し口がカートンの上下両面又はいずれか一方の面に形成され、少なくともいずれか一方の取出し口は、上下面のいずれか中心から短側面の一方側に片寄った位置に、切離し用切込み線により切取可能に形成されていることを特徴とする衛生用紙入りカートン。
【請求項４】
カートン上面に衛生用紙の取出し口が形成され、更にカートンの下面にも、該下面の中心から短側面の一方側に片寄った位置に衛生用紙の取出し口が切離し用切込み線により切取可能に形成されていることを特徴とする請求項３に記載の衛生用紙入りカートン。
【請求項５】
カートン下面に形成する取出し口の開閉フラップの先端部を差込み片として、トイレットペーパホルダのカット板とその取付け壁間に着脱可能に挿入して、トイレットペーパホルダに載架できるように構成した請求項２または請求項４の何れか１項に記載の衛生用紙入りカートン。
【考案の詳細な説明】
【技術分野】
【０００１】
本考案は、ティシュペーパーやペーパータオルなどの衛生用紙入りカートンに関するものである。
【背景技術】
【０００２】
箱入りのティシュペーパーは、その重宝さから今や家庭やオフィスの必需品となっている。そして使用場所も、例えば自動車の中、病人のベッドサイドなどの介護の場所、化粧台や洗面台周り、トイレ、台所の流し台周辺、作業机周辺など現在では、いろいろな場所でいろいろな用途に使用されている。
【０００３】
従来、ティシュペーパーの多くは略直方体のカートンに入れられて販売されている。そのカートンの上面中心には長方形、長円形等のティシュペーパー取出し口が設けられている。使用時には、取出し口を上にしてテーブル等の使用するのに都合の良い平面上に置いて、カートン内のティシュペーパーをポップアップ式に、１枚または１組ずつ上方に引っ張って取出すのが普通である。
【０００４】
しかし、使用場所や用途によっては、従来のように、取出し口を上にして使用するのに都合の良い平面上に置くことができず、使用するのに条件が良くない隅の方に置かれたり、カートンを器具の上に置いたり、ラック棚等に差し込んで使用したり、カートンの側板部を下にしてカートンを横臥させたり、あるいはスタンドのように縦に置くことが要求されたりすることがある。また、カートンからティシュペーパーを横又は下に引っ張って取出す方が都合が良いことがある。例えば、病人等がベッドに寝たまま、片手でティシュペーパーを横又は下に引っ張って引出す場合等であり、床や棚では速やかに手が届かず、どうしても無理な姿勢で取出すことが多く不便となっていた。また乗用車等の車内では、後部座席とリヤウインドとの間の隅の方のスペースに置いて使用する場合があるが、そのときも同様であり、従来のカートンでは取出し口がカートン上面の中央部にのみ画一的に形成されていると、速やかに手が届かず、すばやく取出すことができなかった。
【０００５】
従来、特許文献１または２のように、接着テープを利用してティシュペーパーの収納箱を垂直に立てて固定したり、自動車の天井等に接着することが提案されている。
また、ティシュペーパーカートンの各面に複数の取出し口を設けた例がある（特許文献２〜４）。
さらに近年、ティシュペーパーの箱をトイレットペーパーホルダのカッタ板に載架して、トイレットロールと併用するようにしたものも提案されている（特許文献５）。
【特許文献１】特開平９−１６９３７０号
【特許文献２】登実０３０３７５２３号
【特許文献３】登実２５８６０１７号
【特許文献４】登実３０４５１００号
【特許文献５】特開２００２−１１２９２０号
【０００６】
しかし、従来のような接着テープ等の固着手段を利用し固定したり、カートンの各面に複数の取出し口を設ける方法は、製造コストが高くつき、あるいは製造工程が複雑化するので量産化が困難であった。
そしてまた、収納箱内部のティシュペーパーは、常に一定の取出し口から１枚または１組づつ連続してポップアップするように折畳まれて積層されているので、他の面からティシュペーパーを引っ張って引出すと過度の摩擦力がティシュペーパーに加わり破れることも多かった。
【考案の開示】
【考案が解決しようとする課題】
【０００７】
そこで、本考案は、箱入りの衛生用紙を取出す際等の使い勝手良くすることが課題である。
本考案者は、衛生用紙取出し口がカートン上面の中心ではなく、上面又は下面の片寄った位置に形成することで本考案を完成させた。このようにすると、従来の衛生用紙入りカートンと異なり、置き場所を選ばないカートンを提供することが可能である。
【課題を解決するための手段】
【０００８】
上記の課題を解決するため、本考案の第１は、ティシュペーパーやペーパータオルなどの衛生用紙が積層されて収納されている略直方体形状の衛生用紙入りカートンであって、
衛生用紙の取出し口がカートンの上下両面又はいずれか一方の面に形成され、少なくともいずれか一方の取出し口は、上下面のいずれかの中心から長側面の一方側に片寄った位置に、取出し口が切離し用切込み線により切取可能に形成されていることを特徴とする衛生用紙入りカートンである。
【０００９】
本考案の第２は、カートン上面に衛生用紙の取出し口が形成され、更にカートンの下面にも、該下面の中心から長側面の一方側に片寄った位置に衛生用紙の取出し口が切離し用切込み線により切取可能に形成されている前記第１の考案の衛生用紙入りカートンである。
【００１０】
本考案の第３は、ティシュペーパーやペーパータオルなどの衛生用紙が積層されて収納されている略直方体形状の衛生用紙入りカートンであって、
衛生用紙の取出し口がカートンの上下両面又はいずれか一方の面に形成され、少なくともいずれか一方の取出し口は、上下面のいずれかの中心から短側面（すなわち妻面）の一方側に片寄った位置に、切離し用切込み線により切取可能に形成されていることを特徴とする衛生用紙入りカートンである。
【００１１】
本考案の第４は、カートン上面に衛生用紙取出し口が形成され、更にカートン下面の中心から短側面（妻面）の一方側に片寄った位置に衛生用紙の取出し口が切離し用切込み線により切取可能に形成されている前記第３の考案の衛生用紙入りカートンである。
【００１２】
本考案の第５は、カートン下面に形成する取出し口の開閉フラップの先端部を差込み片として、トイレットペーパホルダのカット板とその取付け壁との間に挿入できるように構成した前記第２または第４の考案の何れかに記載の衛生用紙入りカートンである。
【考案の効果】
【００１３】
従来の衛生用紙入りカートンは、ペーパーがカートン上面中心の取出し口からしか取出すことができなかったのに対し、本考案の衛生用紙入りカートンは、上下面のいずれかの中心から片寄った位置にある取出し口から取出すことができるから、カートンの長側板を下にして横長状に置いたり、またカートンをスタンドのように縦長状に置いたり、或いはカートン上面の空きスペースに小物を置いても、ティシュペーパーを速やかに取出すことができる。
本考案のカートンは、トイレットペーパーホルダに載架して従来のトイレットペーパーロールと併用することも可能であり、特別な部品を使用することなく、取出し口開封後のフラップを利用してトイレットペーパーホルダ上に脱落することなく設置することが可能となる。
また、従来の衛生用紙入りカートンと較べ、衛生用紙取出し口の位置が異なり、斬新な印象を与えるので、消費者の購買意欲が高められる利点もある。
【考案を実施するための最良の形態】
【００１４】
次に本考案の実施形態について説明する。本考案で用いられる衛生用紙は、ティシュペーパー（顔ふき紙、化粧紙）やちり紙（トイレ用途など使用する平版紙）、ペーパータオル（キッチンタオルなどの主としてキッチンで使用されるペーパーを含んでいる）などの使い捨て紙を総称し、また、本考案のカートンは、木材パルプ、古紙などを原料とする厚紙などの紙材料を主体に製造した紙箱である。この紙箱は、通常略直方体形状に形成されているが、立方体形状でもよく、更に、箱体の各稜部或いは角部が、実用新案登録第３０９４０８５号、同３０００７８８号または実開平５−３５７６２号のカートンのように面取りされた形状であってもよい。
このカートンの構成について更に述べると、紙箱の上下少なくとも一方の面（通常は上面３）に、図１のように衛生用紙を取出すための取出し口１を設ける。この取出し口は、カートンの上下面のいずれか一方の中心から長側面の一方側に片寄った位置に、切離し用切込み線により、長方形、長円形その他適宜な形状に形成される。すなわち切込み線に囲まれた内側に、長方形、長円形等の開口用切取片２が切取可能に形成される。なお、その取出し口に内面には、通常、樹脂フイルムが貼着される。しかし樹脂フイルムが貼りつけられていないものでもよく、貼着フイルムの有無は問わない。
図１は第１実施例の斜視図、図２は第１実施例の縦断面図である。
このカートンの上面にほぼ長円形をした取出し口１が、カートンの一方の長側面に片寄せて形成されている。
【００１５】
図３は第２実施例の斜視図、図４は第２実施例の縦断面図である。このカートンは、ほぼ扇形をした取出し口７が、カートンの一方の短側面（妻面）に片寄せて形成されている。
【００１６】
図５は第３実施例のカートンを示す展開図である。このカートンは、上面板３にほぼ長円形をした取出し口１が、カートンの一方の長側面に片寄せて設けられている点は第１実施例と同じである。異なる点は、下面板４に切込み線８によって形成された取出し口の開閉フラップ１４の先端部を差込み片として、トイレットペーパーホルダに挿入し、トイレットペーパーのカット板上に着脱可能に載架して固定できるように構成している点と、箱内のティシュペーパーが残り少なくなったときにティシュペーパーの押上片を形成するＵ形切込み線９ａ、９ｂが形成した点である。
図６の説明図は、開閉フラップ１４の先端部を差込み片として、トイレットペーパーホルダのカット板２１とその取付け壁間に挿入し、トイレットペーパーホルダー２０の上に第３実施例のカートンを脱落することがないように載架した状態を示したものである。
なお、符号１０ａ、１０ｂで示した切込み線は、使用後の箱を分解するときに使用する折畳み用切込み線であり、カートンの短側面（妻面）を構成する外フラップ１１と、下面板４との境界線上に形成されている。
【図面の簡単な説明】
【００１７】
【図１】第１実施例の斜視図である。
【図２】第１実施例のII-II線の断面図である。
【図３】第２実施例の斜視図である。
【図４】第２実施例のIV-IV線の断面図である。
【図５】第３実施例のカートンを示す展開図である。
【図６】トイレットペーパーホルダーのカット板上に第３実施例のカートンを脱落することがないように載架した状態を示したものである。
【符号の説明】
【００１８】
１  取出し口
２  開口用切取片
３  上面板
４  下面板
５  長側板
６  長側板
７  取出し口
８  切込み線
９ａ、9ｂ  押上片形成用切込み線  
１０ａ、１０ｂ  折畳み用切込み線
１１  外フラップ
１２  外フラップ
１３  内フラップ
１４  開閉フラップ
２０  トイレットペーパーホルダー
２１  カット板
【図１】
0003116098.tif 000003
【図２】
0003116098.tif 000004
【図３】
0003116098.tif 000005
【図４】
0003116098.tif 000006
【図５】
0003116098.tif 000007
【図６】
0003116098.tif 000008